(57)【特許請求の範囲】
【請求項１】
パルス出力するべき積算値到達点を予め記憶するパルス出力積算値記憶手段と、
対象となる物理量を積算して、積算値が前記積算値到達点に達する度にパルスを出力する積算演算手段と、
この積算演算手段が演算する積算値の前記積算値到達点に対する経過率である積算率を演算する積算率演算手段と、
前記積算率に応じた表示を行う表示処理手段とを備えることを特徴とする積算装置。
【請求項２】
パルス出力するべき積算値到達点を予め記憶するパルス出力積算値記憶手段と、
対象となる物理量を積算して、積算値が前記積算値到達点に達する度にパルスを出力する積算演算手段と、
この積算演算手段がパルスを出力したときに積算経過時間の計測を開始する積算経過時間計測手段と、
前記積算演算手段から出力されるパルスの、基準となるパルス間隔時間を記憶する比較基準ペース記憶手段と、
前記積算演算手段が演算する積算値の前記積算値到達点に対する経過率である積算率を演算する積算率演算手段と、
前記積算経過時間計測手段が計測中の積算経過時間と前記比較基準ペース記憶手段に記憶されているパルス間隔時間との比である比較基準ペース率を演算する比較基準ペース率演算手段と、
前記積算率に応じた表示を行うと同時に、前記積算率が前記比較基準ペース率以上か未満かで表示の色を変える表示処理手段とを備えることを特徴とする積算装置。
【請求項３】
パルス出力するべき積算値到達点を予め記憶するパルス出力積算値記憶手段と、
対象となる物理量を積算して、積算値が前記積算値到達点に達する度にパルスを出力する積算演算手段と、
この積算演算手段がパルスを出力したときに積算経過時間の計測を開始する積算経過時間計測手段と、
前記積算演算手段から出力されるパルスの、基準となるパルス間隔時間を記憶する比較基準ペース記憶手段と、
前記積算演算手段が演算する積算値の前記積算値到達点に対する経過率である積算率を演算する積算率演算手段と、
前記積算経過時間計測手段が計測中の積算経過時間と前記比較基準ペース記憶手段に記憶されているパルス間隔時間との比である比較基準ペース率を演算する比較基準ペース率演算手段と、
前記積算率に応じた表示と並行して、前記比較基準ペース率に応じた表示を行う表示処理手段とを備えることを特徴とする積算装置。
【請求項４】
請求項１乃至３のいずれか１項に記載の積算装置において、
前記表示処理手段は、前記積算率に応じた表示として、前記積算率に対応する長さのバーグラフを表示するバーグラフ表示、前記積算率を数値表示するパーセンテージ表示、前記積算率に対応する時間だけＬＥＤを点灯させるＬＥＤ表示のいずれかを行うことを特徴とする積算装置。
【請求項５】
請求項３記載の積算装置において、
前記表示処理手段は、前記比較基準ペース率に応じた表示として、前記比較基準ペース率に対応する長さのバーグラフを表示するバーグラフ表示、前記比較基準ペース率を数値表示するパーセンテージ表示、前記比較基準ペース率に対応する時間だけＬＥＤを点灯させるＬＥＤ表示のいずれかを行うことを特徴とする積算装置。
【請求項６】
請求項２または３記載の積算装置において、
前記比較基準ペース記憶手段に記憶される基準となるパルス間隔時間は、前回のパルス間隔時間、過去の実績から算出される平均値、予め登録される固定値のいずれかであることを特徴とする積算装置。
【請求項７】
対象となる物理量を積算する積算演算ステップと、
この積算演算ステップで演算した積算値がパルス出力積算値記憶手段に予め記憶されている積算値到達点に達する度にパルスを出力するパルス出力ステップと、
前記積算演算ステップで演算した積算値の前記積算値到達点に対する経過率である積算率を演算する積算率演算ステップと、
前記積算率に応じた表示を行う表示処理ステップとを含むことを特徴とするパルス出力ペース表示方法。
【請求項８】
対象となる物理量を積算する積算演算ステップと、
この積算演算ステップで演算した積算値がパルス出力積算値記憶手段に予め記憶されている積算値到達点に達する度にパルスを出力するパルス出力ステップと、
前記パルスを出力したときに積算経過時間の計測を開始する積算経過時間計測ステップと、
前記積算演算ステップで演算した積算値の前記積算値到達点に対する経過率である積算率を演算する積算率演算ステップと、
前記積算経過時間計測ステップで計測中の積算経過時間と比較基準ペース記憶手段に記憶されている基準となるパルス間隔時間との比である比較基準ペース率を演算する比較基準ペース率演算ステップと、
前記積算率に応じた表示を行うと同時に、前記積算率が前記比較基準ペース率以上か未満かで表示の色を変える表示処理ステップとを含むことを特徴とするパルス出力ペース表示方法。
【請求項９】
対象となる物理量を積算する積算演算ステップと、
この積算演算ステップで演算した積算値がパルス出力積算値記憶手段に予め記憶されている積算値到達点に達する度にパルスを出力するパルス出力ステップと、
前記パルスを出力したときに積算経過時間の計測を開始する積算経過時間計測ステップと、
前記積算演算ステップで演算した積算値の前記積算値到達点に対する経過率である積算率を演算する積算率演算ステップと、
前記積算経過時間計測ステップで計測中の積算経過時間と比較基準ペース記憶手段に記憶されている基準となるパルス間隔時間との比である比較基準ペース率を演算する比較基準ペース率演算ステップと、
前記積算率に応じた表示と並行して、前記比較基準ペース率に応じた表示を行う表示処理ステップとを含むことを特徴とするパルス出力ペース表示方法。
【請求項１０】
請求項７乃至９のいずれか１項に記載のパルス出力ペース表示方法において、
前記表示処理ステップは、前記積算率に応じた表示として、前記積算率に対応する長さのバーグラフを表示するバーグラフ表示、前記積算率を数値表示するパーセンテージ表示、前記積算率に対応する時間だけＬＥＤを点灯させるＬＥＤ表示のいずれかを行うことを特徴とするパルス出力ペース表示方法。
【請求項１１】
請求項９記載のパルス出力ペース表示方法において、
前記表示処理ステップは、前記比較基準ペース率に応じた表示として、前記比較基準ペース率に対応する長さのバーグラフを表示するバーグラフ表示、前記比較基準ペース率を数値表示するパーセンテージ表示、前記比較基準ペース率に対応する時間だけＬＥＤを点灯させるＬＥＤ表示のいずれかを行うことを特徴とするパルス出力ペース表示方法。
【請求項１２】
請求項８または９記載のパルス出力ペース表示方法において、
前記比較基準ペース記憶手段に記憶される基準となるパルス間隔時間は、前回のパルス間隔時間、過去の実績から算出される平均値、予め登録される固定値のいずれかであることを特徴とするパルス出力ペース表示方法。
【発明の詳細な説明】
【技術分野】
【０００１】
本発明は、例えば熱量、流量などの物理量を積算し、積算値が予め定められた積算値到達点に達する度にパルスを出力する積算装置に係り、特にパルス出力ペース（積算値の上昇ペース）を認識し易くする技術に関するものである。
【背景技術】
【０００２】
従来より、積算熱量計という機器がある。積算熱量計は、冷温水などの供給経路に設置され、冷温水の温度と流量から熱量を演算するものである。積算熱量計は、電気、水道、ガスのような計量メータの一つであり、金銭取引に用いられることもある。したがって、施工状態の確認を正しく行わないと、使用開始後にトラブルへと発展するケースもありうる。
【０００３】
積算熱量計の動作確認の一つとして、積算パルスの出力確認を実施する必要がある。つまり、積算熱量計では、あらかじめ決められた熱量が積算されるごとにパルスを出力するようになっているので、パルスが正しく出力されているのかを確認する必要がある。しかし、パルス出力が極めて遅いという使用状態の場合（例えばパルス間隔が数秒、数分の場合）、その確認に非常に長い時間を要する。そこで、表示器に積算値を数値表示させることで、パルスが出力されるまでに、どの程度の時間を要するのかを把握する手法が実用されている（特許文献１参照）。
【先行技術文献】
【特許文献】
【０００４】
【特許文献１】特開２０１２−１８５６１３号公報
【発明の概要】
【発明が解決しようとする課題】
【０００５】
しかしながら、積算熱量計に表示される積算値によって、パルスが出力されるまでにどの程度の時間を要するのかを把握する方法は、直感的に認識し難いという問題点があった。また、特許文献１に開示された技術では、あらかじめ決められた熱量ごとに出力されるパルスを分周し、分周後のパルスで発光手段を点滅させることにより、パルスが設定されたとおりに正常に出力されているかどうかの目視確認ができるようにしている。
【０００６】
しかし、特許文献１に開示された技術は、積算熱量が速いペースで上昇することを想定したものであり、積算熱量が遅いペースで上昇する場合には、発光手段の点滅が更に遅くなってしまい、確認に非常に長い時間を要するという問題点があった。
なお、以上の問題点は、積算熱量計に限らず、パルス出力を持つ流量計などにおいても同様に発生する。
【０００７】
本発明は、上記課題を解決するためになされたもので、パルス出力ペース（積算値の上昇ペース）が予め想定できない積算熱量計などの積算装置において、パルスが出力されるまでにどの程度の時間を要するのかを直感的に認識することができる積算装置およびパルス出力ペース表示方法を提供することを目的とする。
【課題を解決するための手段】
【０００８】
本発明の積算装置は、パルス出力するべき積算値到達点を予め記憶するパルス出力積算値記憶手段と、対象となる物理量を積算して、積算値が前記積算値到達点に達する度にパルスを出力する積算演算手段と、この積算演算手段が演算する積算値の前記積算値到達点に対する経過率である積算率を演算する積算率演算手段と、前記積算率に応じた表示を行う表示処理手段とを備えることを特徴とするものである。
【０００９】
また、本発明の積算装置は、パルス出力するべき積算値到達点を予め記憶するパルス出力積算値記憶手段と、対象となる物理量を積算して、積算値が前記積算値到達点に達する度にパルスを出力する積算演算手段と、この積算演算手段がパルスを出力したときに積算経過時間の計測を開始する積算経過時間計測手段と、前記積算演算手段から出力されるパルスの、基準となるパルス間隔時間を記憶する比較基準ペース記憶手段と、前記積算演算手段が演算する積算値の前記積算値到達点に対する経過率である積算率を演算する積算率演算手段と、前記積算経過時間計測手段が計測中の積算経過時間と前記比較基準ペース記憶手段に記憶されているパルス間隔時間との比である比較基準ペース率を演算する比較基準ペース率演算手段と、前記積算率に応じた表示を行うと同時に、前記積算率が前記比較基準ペース率以上か未満かで表示の色を変える表示処理手段とを備えることを特徴とするものである。
【００１０】
また、本発明の積算装置は、パルス出力するべき積算値到達点を予め記憶するパルス出力積算値記憶手段と、対象となる物理量を積算して、積算値が前記積算値到達点に達する度にパルスを出力する積算演算手段と、この積算演算手段がパルスを出力したときに積算経過時間の計測を開始する積算経過時間計測手段と、前記積算演算手段から出力されるパルスの、基準となるパルス間隔時間を記憶する比較基準ペース記憶手段と、前記積算演算手段が演算する積算値の前記積算値到達点に対する経過率である積算率を演算する積算率演算手段と、前記積算経過時間計測手段が計測中の積算経過時間と前記比較基準ペース記憶手段に記憶されているパルス間隔時間との比である比較基準ペース率を演算する比較基準ペース率演算手段と、前記積算率に応じた表示と並行して、前記比較基準ペース率に応じた表示を行う表示処理手段とを備えることを特徴とするものである。
【００１１】
また、本発明の積算装置の１構成例において、前記表示処理手段は、前記積算率に応じた表示として、前記積算率に対応する長さのバーグラフを表示するバーグラフ表示、前記積算率を数値表示するパーセンテージ表示、前記積算率に対応する時間だけＬＥＤを点灯させるＬＥＤ表示のいずれかを行うことを特徴とするものである。
また、本発明の積算装置の１構成例において、前記表示処理手段は、前記比較基準ペース率に応じた表示として、前記比較基準ペース率に対応する長さのバーグラフを表示するバーグラフ表示、前記比較基準ペース率を数値表示するパーセンテージ表示、前記比較基準ペース率に対応する時間だけＬＥＤを点灯させるＬＥＤ表示のいずれかを行うことを特徴とするものである。
また、本発明の積算装置の１構成例において、前記比較基準ペース記憶手段に記憶される基準となるパルス間隔時間は、前回のパルス間隔時間、過去の実績から算出される平均値、予め登録される固定値のいずれかである。
【００１２】
また、本発明のパルス出力ペース表示方法は、対象となる物理量を積算する積算演算ステップと、この積算演算ステップで演算した積算値がパルス出力積算値記憶手段に予め記憶されている積算値到達点に達する度にパルスを出力するパルス出力ステップと、前記積算演算ステップで演算した積算値の前記積算値到達点に対する経過率である積算率を演算する積算率演算ステップと、前記積算率に応じた表示を行う表示処理ステップとを含むことを特徴とするものである。
【００１３】
また、本発明のパルス出力ペース表示方法は、対象となる物理量を積算する積算演算ステップと、この積算演算ステップで演算した積算値がパルス出力積算値記憶手段に予め記憶されている積算値到達点に達する度にパルスを出力するパルス出力ステップと、前記パルスを出力したときに積算経過時間の計測を開始する積算経過時間計測ステップと、前記積算演算ステップで演算した積算値の前記積算値到達点に対する経過率である積算率を演算する積算率演算ステップと、前記積算経過時間計測ステップで計測中の積算経過時間と比較基準ペース記憶手段に記憶されている基準となるパルス間隔時間との比である比較基準ペース率を演算する比較基準ペース率演算ステップと、前記積算率に応じた表示を行うと同時に、前記積算率が前記比較基準ペース率以上か未満かで表示の色を変える表示処理ステップとを含むことを特徴とするものである。
【００１４】
また、本発明のパルス出力ペース表示方法は、対象となる物理量を積算する積算演算ステップと、この積算演算ステップで演算した積算値がパルス出力積算値記憶手段に予め記憶されている積算値到達点に達する度にパルスを出力するパルス出力ステップと、前記パルスを出力したときに積算経過時間の計測を開始する積算経過時間計測ステップと、前記積算演算ステップで演算した積算値の前記積算値到達点に対する経過率である積算率を演算する積算率演算ステップと、前記積算経過時間計測ステップで計測中の積算経過時間と比較基準ペース記憶手段に記憶されている基準となるパルス間隔時間との比である比較基準ペース率を演算する比較基準ペース率演算ステップと、前記積算率に応じた表示と並行して、前記比較基準ペース率に応じた表示を行う表示処理ステップとを含むことを特徴とするものである。
【発明の効果】
【００１５】
本発明によれば、積算値の積算値到達点に対する経過率である積算率を演算し、積算率に応じた表示を行うことにより、積算装置の動作を確認しようとする作業員は、パルスが出力されるまでにどの程度の時間を要するのかを直感的に認識することができる。その結果、本発明では、パルス出力ペース（積算値の上昇ペース）が予め想定できず、パルス出力が極めて遅い場合（例えばパルス間隔が数秒、数分の場合）であっても、積算装置の動作確認のし易さを改善することができる。
【００１６】
また、本発明では、積算率に応じた表示を行うと同時に、積算率が比較基準ペース率以上か未満かで表示の色を変えるか、あるいは積算率に応じた表示と並行して、比較基準ペース率に応じた表示を行うことにより、パルス出力ペースが比較基準ペースと比較して速いのか遅いのかを確認することができる。
【図面の簡単な説明】
【００１７】
【図１】積算熱量計における積算熱量と出力パルスとの関係を示す図である。
【図２】本発明のバーグラフ表示を説明する図である。
【図３】本発明のＬＥＤ表示を説明する図である。
【図４】積算熱量とパルスが出力される時間間隔との関係を示す図である。
【図５】本発明の第１の実施の形態に係る積算装置の構成を示すブロック図である。
【図６】本発明の第１の実施の形態に係る積算装置の積算演算部の入力側の構成を示すブロック図である。
【図７】本発明の第１の実施の形態に係る積算装置の動作を示すフローチャートである。
【図８】本発明の第２の実施の形態に係る積算装置の構成を示すブロック図である。
【図９】本発明の第２の実施の形態に係る積算装置の動作を示すフローチャートである。
【図１０】本発明の第３の実施の形態に係る積算装置の構成を示すブロック図である。
【図１１】本発明の第３の実施の形態に係る積算装置の動作を示すフローチャートである。
【発明を実施するための形態】
【００１８】
［発明の原理１］
積算熱量計の場合、温度と流量の２個の状態量に依存する量を計測する。したがって、特に積算熱量が上昇するペース（パルス出力される時間間隔）が予め想定できないだけではなく、そのペースの変動幅も極端に大きくなり得る。したがって、直感的に認識しやすい積算状態表示が好ましい。
【００１９】
そこで、積算熱量の到達点が単純明快に認識できる無次元量の表示を、積算熱量計に付加する。具体的にはバーグラフ表示（積算熱量が予め定められた積算値到達点に到達したときに全灯）、パーセンテージ表示（積算熱量が予め定められた積算値到達点に到達したときに１００％表示）、ＬＥＤ表示（積算熱量が予め定められた積算値到達点に到達したときに全灯）を採用する。
【００２０】
周知のように、積算熱量計では、熱量を積算し、図１（Ａ）に示すように積算熱量が予め定められた積算値到達点（１００％）に達したときに、図１（Ｂ）に示すようにパルスを出力する。
本発明のバーグラフ表示では、積算熱量の積算値到達点に対する経過率である積算率に応じた長さのバーグラフを表示する。例えば図２（Ａ）、図２（Ｂ）の例では、それぞれ積算率０％、２５％、５０％、７５％、１００％に応じてバーグラフ１００の長さＬが変わることを示している。
【００２１】
本発明のパーセンテージ表示では、積算率を数値表示する。また、本発明のＬＥＤ表示では、積算率に応じた時間だけＬＥＤを点灯させる。例えば図３（Ａ）、図３（Ｂ）の例では、それぞれ積算率０％、２５％、５０％、７５％、１００％に応じてＬＥＤの点灯時間Ｔが変わることを示している。
【００２２】
［発明の原理２］
上記のように、積算熱量計の場合、積算熱量が上昇するペース（パルスが出力される時間間隔）が想定できないため、本質的に確認すべきことはさらに多い。しかし、バーグラフ表示、パーセンテージ表示、ＬＥＤ表示による積算状況の確認に限るのであれば、単に動作の有無を直感的に確認する程度に留まってしまう。
【００２３】
そこで、発明者は、比較基準ペースを規定し（例えば直近の過去の実績での変化ペース）、比較基準ペースを表示情報に盛り込めば、積算されるペース自体も含めて確認できることに想到した。
【００２４】
図４（Ａ）、図４（Ｂ）は積算熱量とパルスが出力される時間間隔との関係を示す図である。図中のＱ０は比較基準の積算熱量であり、Ｐ０は積算熱量Ｑ０に応じて出力されるパルスである。Ｑ１は比較基準の積算熱量Ｑ０よりも上昇ペースが速い積算熱量であり、Ｐ１は積算熱量Ｑ１に応じて出力されるパルスである。Ｑ２は比較基準の積算熱量Ｑ０よりも上昇ペースが遅い積算熱量であり、Ｐ２は積算熱量Ｑ２に応じて出力されるパルスである。
【００２５】
［第１の実施の形態］
以下、本発明の実施の形態について図面を参照して説明する。図５は本発明の第１の実施の形態に係る積算装置の構成を示すブロック図である。本実施の形態は、上記発明の原理１に対応する例である。本実施の形態の積算装置は、熱量を積算して、積算熱量が予め定められた積算値到達点に達する度にパルスを出力する積算演算部１と、パルス出力するべき積算値到達点を予め記憶するパルス出力積算値記憶部２と、積算熱量の積算値到達点に対する経過率である積算率を演算する積算率演算部３と、積算率に応じた表示処理を行う表示処理部４と、バーグラフメータ、液晶等のディスプレイ、ＬＥＤなどからなる積算率表示部５とから構成される。
【００２６】
図６は積算演算部１の入力側の構成を示すブロック図である。ここでは、積算装置が積算熱量計である場合について説明する。積算熱量計は、例えば地域冷暖房システムに設けられている。地域冷暖房システムは、熱供給器（不図示）により熱エネルギーを与えられた温水等の熱媒体を、送り管１０ａを通じて熱負荷となる熱交換器（不図示）へ配送し、この熱交換器にて冷暖房のための熱エネルギーを消費した熱媒体を、返り管１０ｂを通じて再び熱供給器へ返送するようになっている。
【００２７】
積算演算部１の入力側には、返り管１０ｂを流れる熱媒体の流量を測定する流量測定部１１と、送り管１０ａを通じて熱交換器へ流入する熱媒体の温度を検出する温度センサ１２ａと、返り管１０ｂを通じて熱供給器へ戻る熱媒体の温度を検出する温度センサ１２ｂと、温度センサ１２ａ，１２ｂから出力されるアナログ信号をデジタル信号に変換するＡ／Ｄ変換器１３とが設けられている。
【００２８】
以下、本実施の形態の積算装置の動作を図７を参照して説明する。積算演算部１は、熱量を演算する（図７ステップＳ１００）。具体的には、流量測定部１１は、返り管１０ｂを流れる熱媒体の流量を測定する。一方、温度センサ１２ａは、送り管１０ａを流れる熱媒体の温度を検出し、温度センサ１２ｂは、返り管１０ｂを流れる熱媒体の温度を検出する。Ａ／Ｄ変換器１３は、温度センサ１２ａ，１２ｂから出力されるアナログの温度信号をデジタル信号に変換する。積算演算部１は、流量測定部１１によって測定された熱媒体の流量と熱負荷前後の温度差（すなわち、温度センサ１２ａによって測定された熱媒体の温度と温度センサ１２ｂによって測定された熱媒体の温度との差）とを乗算し、この乗算結果に所定の熱量換算係数を乗じることで、消費熱量を演算する。
【００２９】
そして、積算演算部１は、演算した熱量を積算し、積算熱量がパルス出力積算値記憶部２に記憶されている積算値到達点に達したときに（図７ステップＳ１０１においてＹＥＳ）、パルスを出力する（図７ステップＳ１０２）。こうして、あらかじめ定められた熱量が積算される度にパルスが出力される。なお、積算熱量が積算値到達点に達してパルスが出力されると、積算熱量が０にリセットされて、熱量の積算が再び始まることは言うまでもない。
【００３０】
一方、積算率演算部３は、積算熱量の積算値到達点に対する経過率である積算率を演算する（図７ステップＳ１０３）。積算演算部１が演算した積算熱量をＱ、パルス出力積算値記憶部２に記憶されている積算値到達点をＱａとすると、積算率Ｒは次式のようになる。
Ｒ＝Ｑ／Ｑａ                                                    ・・・（１）
【００３１】
表示処理部４は、積算率表示部５を用いて積算率Ｒに応じた表示を行う（図７ステップＳ１０４）。例えばバーグラフ表示を行う場合、表示処理部４は、積算率Ｒが０％のときはバーグラフを表示しないようにし、積算率Ｒが２５％のときは２５％に対応する長さＬのバーグラフを積算率表示部５（例えばバーグラフメータ）に表示させ、積算率Ｒが５０％のときは５０％に対応する長さＬのバーグラフを積算率表示部５に表示させ、積算率Ｒが７５％のときは７５％に対応する長さＬのバーグラフを積算率表示部５に表示させ、積算率Ｒが１００％のときは１００％に対応する長さＬのバーグラフを積算率表示部５に表示させる。
【００３２】
パーセンテージ表示を行う場合、表示処理部４は、積算率Ｒが０％のときは積算率表示部５（例えばディスプレイ）に「０」を表示させ、積算率Ｒが２５％のときは積算率表示部５に「２５」を表示させ、積算率Ｒが５０％のときは積算率表示部５に「５０」を表示させ、積算率Ｒが７５％のときは積算率表示部５に「７５」を表示させ、積算率Ｒが１００％のときは積算率表示部５に「１００」を表示させる。
【００３３】
ＬＥＤ表示を行う場合、表示処理部４は、積算率Ｒが０％のときは積算率表示部５（ＬＥＤ）を点灯させないようにし、積算率Ｒが２５％のときは２５％に対応する時間Ｔ２５だけ積算率表示部５を点灯させ、積算率Ｒが５０％のときは５０％に対応する時間Ｔ５０だけ積算率表示部５を点灯させ、積算率Ｒが７５％のときは７５％に対応する時間Ｔ７５だけ積算率表示部５を点灯させ、積算率Ｒが１００％のときは１００％に対応する時間Ｔ１００だけ積算率表示部５を点灯させる。
【００３４】
以上のようなステップＳ１００〜Ｓ１０４の処理が、積算装置の動作が終了するまで（図７ステップＳ１０５においてＹＥＳ）、一定時間毎に繰り返し実行される。
【００３５】
本実施の形態では、積算率Ｒに応じた表示を行うことにより、積算装置の動作を確認しようとする作業員は、パルスが出力されるまでにどの程度の時間を要するのかを直感的に認識することができる。その結果、本実施の形態では、パルス出力ペース（積算値の上昇ペース）が予め想定できず、パルス出力が極めて遅い場合（例えばパルス間隔が数秒、数分の場合）であっても、積算装置の動作確認のし易さを改善することができる。
【００３６】
［第２の実施の形態］
次に、本発明の第２の実施の形態について説明する。図８は本発明の第２の実施の形態に係る積算装置の構成を示すブロック図であり、図５と同一の構成には同一の符号を付してある。本実施の形態は、上記発明の原理２に対応する例である。本実施の形態の積算装置は、積算演算部１と、パルス出力積算値記憶部２と、積算率演算部３と、表示処理部４ａと、カラー表示対応のバーグラフメータ、カラー表示対応のディスプレイ、発光色が異なる複数のＬＥＤなどからなる積算率表示部５ａと、積算演算部１がパルスを出力したときからの経過時間である積算経過時間を計測する積算経過時間計測部６と、積算演算部１から出力されるパルスの、基準となるパルス間隔時間を記憶する比較基準ペース記憶部７と、積算経過時間計測部６が計測中の積算経過時間と比較基準ペース記憶部７に記憶されているパルス間隔時間との比である比較基準ペース率を演算する比較基準ペース率演算部８とから構成される。
【００３７】
次に、本実施の形態の積算装置の動作を図９を参照して説明する。積算演算部１の動作（図９ステップＳ２００〜Ｓ２０２）と、積算率演算部３の動作（図９ステップＳ２０４）は、第１の実施の形態で説明したとおりである。
【００３８】
積算経過時間計測部６は、積算演算部１がパルスを出力したときに、積算経過時間ｔａの計測を開始する（図９ステップＳ２０３）。図１（Ａ）、図１（Ｂ）の例では、ｔ１，ｔ２，ｔ３，ｔ４，ｔ５，ｔ６のタイミングで積算経過時間ｔａの計測を開始することになる。次のパルスが出力されたときには、積算経過時間ｔａが０にリセットされ、積算経過時間ｔａの計測が再び開始されることは言うまでもない。
【００３９】
比較基準ペース記憶部７には、積算演算部１から出力されるパルスの、基準となるパルス間隔時間ｔｒｅｆが記憶されている。基準となるパルス間隔時間ｔｒｅｆの例としては、前回のパルス間隔時間（最直近の実績）がある。図１（Ａ）、図１（Ｂ）の例において、現在時刻がｔ４とｔ５の間の時刻であるとすれば、基準となるパルス間隔時間ｔｒｅｆはｔ３からｔ４までの時間となる。
【００４０】
前回のパルス間隔時間を基準となるパルス間隔時間ｔｒｅｆとする場合、あるパルスが出力されたときから次のパルスが出力されるまでのパルス間隔時間を計測するパルス間隔時間計測手段（不図示）を積算演算部１の内部に設けておく必要がある。比較基準ペース記憶部７は、このパルス間隔時間計測手段が計測した最新のパルス間隔時間を、基準となるパルス間隔時間ｔｒｅｆとして記憶することになる。
【００４１】
また、基準となるパルス間隔時間ｔｒｅｆの他の例としては、過去の実績から算出される平均値（例えば直近の過去１０回のパルス間隔時間の平均値）がある。この場合、上記のパルス間隔時間計測手段と、直近の過去１０回分のパルス間隔時間の平均値を演算する平均値演算手段（不図示）とを積算演算部１の内部に設けておく必要がある。比較基準ペース記憶部７は、この平均値演算手段が演算した最新の平均値を、基準となるパルス間隔時間ｔｒｅｆとして記憶することになる。
また、基準となるパルス間隔時間ｔｒｅｆを固定値として比較基準ペース記憶部７に予め登録しておいてもよい。
【００４２】
比較基準ペース率演算部８は、積算経過時間計測部６が計測中の積算経過時間ｔａと比較基準ペース記憶部７に記憶されている基準となるパルス間隔時間ｔｒｅｆとの比である比較基準ペース率Ｒｒｅｆを次式により演算する（図９ステップＳ２０５）。
Ｒｒｅｆ＝ｔａ／ｔｒｅｆ                                        ・・・（２）
【００４３】
表示処理部４ａは、積算率表示部５ａを用いて積算率Ｒと比較基準ペース率Ｒｒｅｆとに応じた表示を行う（図９ステップＳ２０６）。例えばバーグラフ表示を行う場合、表示処理部４ａは、第１の実施の形態と同様に積算率Ｒに対応する長さＬのバーグラフを積算率表示部５ａ（例えばカラー表示対応のバーグラフメータ）に表示させると同時に、積算率Ｒが比較基準ペース率Ｒｒｅｆ以上か未満かでバーグラフの色を変える。例えば積算率Ｒが比較基準ペース率Ｒｒｅｆ以上のときは赤色のバーグラフを表示し、積算率Ｒが比較基準ペース率Ｒｒｅｆ未満のときは緑色のバーグラフを表示する。
【００４４】
パーセンテージ表示を行う場合、表示処理部４ａは、第１の実施の形態と同様に積算率Ｒを積算率表示部５ａ（例えばカラー表示対応のディスプレイ）に数値表示させると同時に、積算率Ｒが比較基準ペース率Ｒｒｅｆ以上か未満かで表示する数値の色を変える。例えば積算率Ｒが比較基準ペース率Ｒｒｅｆ以上のときは赤色で積算率Ｒを表示し、積算率Ｒが比較基準ペース率Ｒｒｅｆ未満のときは緑色で積算率Ｒを表示する。
【００４５】
ＬＥＤ表示を行う場合、表示処理部４ａは、第１の実施の形態と同様に積算率Ｒに対応する時間Ｔだけ積算率表示部５ａ（発光色が異なる複数のＬＥＤ）を点灯させるが、積算率Ｒが比較基準ペース率Ｒｒｅｆ以上か未満かで色の異なるＬＥＤを点灯させる。例えば積算率Ｒが比較基準ペース率Ｒｒｅｆ以上のときは赤色のＬＥＤを点灯させ、積算率Ｒが比較基準ペース率Ｒｒｅｆ未満のときは緑色のＬＥＤを点灯させる。
【００４６】
以上のようなステップＳ２００〜Ｓ２０６の処理が、積算装置の動作が終了するまで（図９ステップＳ２０７においてＹＥＳ）、一定時間毎に繰り返し実行される。
【００４７】
本実施の形態では、第１の実施の形態と同じ効果を得ることができると共に、積算率Ｒが比較基準ペース率Ｒｒｅｆ以上か未満かで表示の色を変えるようにしたので、パルス出力ペース（積算熱量の上昇ペース）が比較基準ペースと比較して速いのか遅いのかを確認することができる。
【００４８】
［第３の実施の形態］
次に、本発明の第３の実施の形態について説明する。図１０は本発明の第３の実施の形態に係る積算装置の構成を示すブロック図であり、図５、図８と同一の構成には同一の符号を付してある。本実施の形態は、上記発明の原理２に対応する例である。本実施の形態の積算装置は、積算演算部１と、パルス出力積算値記憶部２と、積算率演算部３と、表示処理部４ｂと、積算率表示部５と、積算経過時間計測部６と、比較基準ペース記憶部７と、比較基準ペース率演算部８と、バーグラフメータ、液晶等のディスプレイ、ＬＥＤなどからなる比較基準ペース率表示部９とから構成される。
【００４９】
次に、本実施の形態の積算装置の動作を図１１を参照して説明する。積算演算部１の動作（図１１ステップＳ３００〜Ｓ３０２）と、積算経過時間計測部６の動作（図１１ステップＳ３０３）と、積算率演算部３の動作（図１１ステップＳ３０４）と、比較基準ペース率演算部８の動作（図１１ステップＳ３０５）とは、第１、第２の実施の形態で説明したとおりである。
【００５０】
表示処理部４ｂは、積算率表示部５を用いて積算率Ｒに応じた表示を行う（図１１ステップＳ３０６）。この動作は第１の実施の形態における表示処理部４と積算率表示部５の動作と同じである。
積算率Ｒに応じた表示と同時に、表示処理部４ｂは、比較基準ペース率表示部９を用いて比較基準ペース率Ｒｒｅｆに応じた表示を行う（図１１ステップＳ３０７）。
【００５１】
例えばバーグラフ表示を行う場合、表示処理部４ｂは、積算率Ｒに応じた表示と同様に、比較基準ペース率Ｒｒｅｆに対応する長さＬのバーグラフを比較基準ペース率表示部９（例えばバーグラフメータ）に表示させる。
パーセンテージ表示を行う場合、表示処理部４ｂは、積算率Ｒの数値表示と同様に、比較基準ペース率Ｒｒｅｆを比較基準ペース率表示部９（例えばディスプレイ）に数値表示させる。
ＬＥＤ表示を行う場合、表示処理部４ｂは、積算率Ｒに応じた表示と同様に、比較基準ペース率Ｒｒｅｆに対応する時間Ｔだけ比較基準ペース率表示部９（ＬＥＤ）を点灯させる。
【００５２】
以上のようなステップＳ３００〜Ｓ３０７の処理が、積算装置の動作が終了するまで（図１１ステップＳ３０８においてＹＥＳ）、一定時間毎に繰り返し実行される。
【００５３】
本実施の形態では、第１の実施の形態と同じ効果を得ることができると共に、積算率Ｒに応じた表示と同時に、比較基準ペース率Ｒｒｅｆに応じた表示を行うことにより、パルス出力ペース（積算熱量の上昇ペース）が比較基準ペースと比較して速いのか遅いのかを確認することができる。また、本実施の形態では、積算率Ｒに応じた表示と並行して、比較基準ペース率Ｒｒｅｆに応じた表示を行うので、パルス出力ペースの比較基準ペースに対する速さの程度、あるいは遅さの程度を確認することができる。
【００５４】
なお、第１〜第３の実施の形態では、積算率Ｒ（または比較基準ペース率Ｒｒｅｆ）が予め定められた表示更新点（第１〜第３の実施の形態の例では０％、２５％、５０％、７５％、１００％の５点）に達したときに表示を更新する離散的な表示方法の例について説明しているが、これに限るものではなく、バーグラフ表示については、連続的に変化する積算率Ｒ（または比較基準ペース率Ｒｒｅｆ）に応じてバーグラフの長さを連続的に変えるようにしてもよい。
【００５５】
また、第１〜第３の実施の形態では、積算装置が積算熱量計である場合について説明しているが、本発明は積算熱量計と同様のパルス出力を持つ流量計、例えば水道メータ、電気メータ、ガスメータにも適用可能である。積算装置が流量計である場合、積算演算部１は、熱量の代わりに流量を積算すればよい。
【００５６】
第１〜第３の実施の形態で説明した積算装置は、ＣＰＵ（Central Processing Unit）、記憶装置及びインタフェースを備えたコンピュータと、これらのハードウェア資源を制御するプログラムによって実現することができる。ＣＰＵは、記憶装置に格納されたプログラムに従って第１〜第３の実施の形態で説明した処理を実行する。
【産業上の利用可能性】
【００５７】
本発明は、積算熱量計や流量計などの、パルス出力を持つ積算装置に適用することができる。
【符号の説明】
【００５８】
１…積算演算部、２…パルス出力積算値記憶部、３…積算率演算部、４，４ａ，４ｂ…表示処理部、５，５ａ…積算率表示部、６…積算経過時間計測部、７…比較基準ペース記憶部、８…比較基準ペース率演算部、９…比較基準ペース率表示部、１０ａ…送り管、１０ｂ…返り管、１１…流量測定部、１２ａ，１２ｂ…温度センサ、１３…Ａ／Ｄ変換器。
【図１】
0006316736.tif 000002
【図２】
0006316736.tif 000003
【図３】
0006316736.tif 000004
【図４】
0006316736.tif 000005
【図５】
0006316736.tif 000006
【図６】
0006316736.tif 000007
【図７】
0006316736.tif 000008
【図８】
0006316736.tif 000009
【図９】
0006316736.tif 000010
【図１０】
0006316736.tif 000011
【図１１】
0006316736.tif 000012